(57)【要約】【課題】法面が急勾配であっても、更には、凹凸を含んだ均一でない面で形成されていても、法面に吹き付けられる植生基材層の流出を防止ししっかりとした固定を施す無機系植生基材を法面に吹き付ける際に於ける植生基材層の固定治具の提供。【解決手段】無機系植生基材を法面に吹き付ける際の植生基材層を法面に固定する治具であって、植生基材層から法面に渡り打ち込まれる棒状の杭部と、該杭部の上方部に着脱自在に設けられる該植生基材層の表面を該法面方向へ押圧する押圧体から構成されることを特徴とする。【選択図】  図１
2004324122.tif 000002
【特許請求の範囲】
【請求項１】
無機系植生基材を法面に吹き付ける際の植生基材層を法面に固定する治具であって、
植生基材層から法面に渡り打ち込まれる棒状の杭部と、該杭部の上方部に着脱自在に設けられる該植生基材層の表面を該法面方向へ押圧する押圧体から構成される植生基材を法面に吹き付ける際の植生基材層の固定治具。
【請求項２】
前記押圧体が着脱自在に設けられる前記杭部の端部が、略Ｌ字状に屈設されていることを特徴とする請求項１記載の無機系植生基材を法面に吹き付ける際の植生基材層の固定治具。
【請求項３】
前記押圧体の形状が、中心部から放射状又は中心部から対称に広がる形状を有していることを特徴とする請求項１又は２に記載の無機系植生基材を法面に吹き付ける際の植生基材層の固定治具。
【請求項４】
２以上の請求項１及び／又は請求項２に記載の無機系植生基材層の固定治具が連結具を介して連結されていることを特徴とする無機系植生基材を法面に吹き付ける際の植生基材層の固定治具。
【請求項５】
前記杭部は、植生基材層に打ち込まれた際の長さが判る目盛りが設けられていることを特徴とする請求項１乃至４いずれかに記載の無機系植生基材を法面に吹き付ける際の植生基材層の固定治具。
【請求項６】
無機系植生基材を法面に吹き付ける際の植生基材層を法面に固定する治具であって、
上方で折り返し部分を有する法面を覆う面体と、該面体を法面に固定する複数の保持部材と、前記折り返し部分の上端部に配置される棒体とから構成されることを特徴とする無機系植生基材を法面に吹き付ける際の植生基材層の固定治具。
【請求項７】
前記保持部材は、前記面体の外周縁に沿って配置され該面体を保持する第１押圧部材と、法面の凹凸の形状に合わせて適宜調整し配置され補助的に前記面体を保持する第２押圧部材とからなることを特徴とする請求項６記載の無機系植生基材を法面に吹き付ける際の植生基材層の固定治具。
【発明の詳細な説明】
【０００１】
【発明の属する技術分野】
本発明は、無機系植生基材を法面に吹き付ける際の植生基材層の固定治具に関し、より詳しくは、法面が急勾配であっても、更には、凹凸を含んだ均一でない面で形成されていても、法面に吹き付けられる植生基材層の流出を防止ししっかりとした固定を施す無機系植生基材を法面に吹き付ける際に於ける植生基材層の固定治具に関する。
【０００２】
【従来の技術】
法面を緑化する方法は、厚層基材を吹き付ける方法が主流であり、この厚層基材を吹き付ける方法にも大別して客土を吹き付ける方法と植生基材を吹き付ける方法の２種類がある。
従来この植生基材を吹き付ける方法は、接合剤に高分子樹脂系糊剤を使用しており、吹き付けを行った後、時間の経過と共に糊剤の劣化が生じ流出の恐れがあった。
また、糊剤として高分子系糊剤を使用しているが、法面に対する活着性が無いため、法面全面にラス金網を張り、このラス金網に固定させると共に、ある程度の流出を防いでいた。
しかしながら、この方法では、法面全面にラス金網等の設置が必要となり莫大な費用を必要とする問題が生じていた。
【０００３】
上記した問題を解決するために、石炭灰（フライアッシュ）や製紙焼却灰等のリサイクル型の無機系基材を使用することによって、法面にラス金網を設置することなく植生基材を法面に吹き付けることのできる方法が創出されている（特許文献１参照。）。
この特許文献１のような無機系植生基材を法面に吹き付ける方法に用いられる固着方法は、針状のミクロの結晶エトリンガイト（エトリンジャイト）（Ｃａ６Ａｌ２（ＳＯ４）３（ＯＨ）２・２６Ｈ２Ｏ）やケイ酸カルシウム水和物（ＣａＯ・ｎＳｉＯ２・ｘＨ２Ｏ）等が客土内部の水を消費しながら生成され、この針状の結晶が吹付けされる法面に突き刺さるように固着することによって固着される方法である。
更に、近年では、植物材（枝葉、樹木、根、竹類等）を未分解のままでチップ化した破砕材や、汚泥を混入剤として混入することによって行われる無機系植生基材を吹き付ける方法が利用されている。
また、
【０００４】
しかしながら、上記したような無機系植生基材を法面へ吹き付ける方法であっても、急勾配な法面や、均一な平面を有しない法面（土壌の都合により凹凸を有しているような法面）では、無機系植生基材を法面に吹き付ける方法が行われていても、植生基材層が流出する可能性が高かった。
【０００５】
また、法面に吹き付けられる植生基材層の流出を防止するために、この植生基材層を固定する治具が創出されている（特許文献２参照）が、この特許文献２に記載の固定治具は、単なる法面を固定する治具に過ぎず、無機系植生基材を法面に吹き付ける方法に適した形状や構成を有している治具ではなかった。
【０００６】
【特許文献１】
特許第２９３５４０８号公報
【特許文献２】
特開２００１−３２２８５号公報
【０００７】
【発明が解決しようとする課題】
本発明は、このような実情に鑑みてなされたもので、無機系植生基材が吹き付けられた法面に於ける植生基材層の固定治具であって、法面が急勾配であっても、更には、凹凸を含んだ均一でない面で形成されていても、植生基材層の流出を防止ししっかりとした固定を施すとともに、安価に製造できしかも輸送に於いても効率性を損なわない無機系植生基材を法面に吹き付ける際の植生基材層の固定治具を提供する。
【０００８】
【課題を解決するための手段】
請求項１記載の発明は、無機系植生基材を法面に吹き付ける際の植生基材層を法面に固定する治具であって、植生基材層から法面に渡り打ち込まれる棒状の杭部と、該杭部の上方部に着脱自在に設けられる該植生基材層の表面を該法面方向へ押圧する押圧体から構成される植生基材を法面に吹き付ける際の植生基材層の固定治具を提供する。
【０００９】
請求項２記載の発明は、前記押圧体が着脱自在に設けられる前記杭部の端部が、略Ｌ字状に屈設されていることを特徴とする請求項１記載の無機系植生基材を法面に吹き付ける際の植生基材層の固定治具を提供する。
【００１０】
請求項３記載の発明は、前記押圧体の形状が、中心部から放射状又は中心部から対称に広がる形状を有していることを特徴とする請求項１又は２に記載の無機系植生基材を法面に吹き付ける際の植生基材層の固定治具を提供する。
【００１１】
請求項４記載の発明は、２以上の請求項１及び／又は請求項２に記載の無機系植生基材層の固定治具が連結具を介して連結されていることを特徴とする無機系植生基材を法面に吹き付ける際の植生基材層の固定治具を提供する。
【００１２】
請求項５記載の発明は、前記杭部は、植生基材層に打ち込まれた際の長さが判る目盛りが設けられていることを特徴とする請求項１乃至４いずれかに記載の無機系植生基材を法面に吹き付ける際の植生基材層の固定治具を提供する。
【００１３】
請求項６記載の発明は、無機系植生基材を法面に吹き付ける際の植生基材層を法面に固定する治具であって、上方で折り返し部分を有する法面を覆う面体と、該面体を法面に固定する複数の保持部材と、前記折り返し部分の上端部に配置される棒体とから構成されることを特徴とする無機系植生基材を法面に吹き付ける際の植生基材層の固定治具を提供する。
請求項７記載の発明は、前記保持部材は、前記面体の外周縁に沿って配置され該面体を保持する第１押圧部材と、法面の凹凸の形状に合わせて適宜調整し配置され補助的に前記面体を保持する第２押圧部材とからなることを特徴とする請求項６記載の無機系植生基材を法面に吹き付ける際の植生基材層の固定治具を提供する。
これらの発明を提供することで上記課題を悉く解決する。
【発明の実施の形態】
本発明の実施の形態を図面を参照しつつ説明する。
本発明に係る植生基材層の固定治具は、無機系植生基材を法面に吹き付ける際の植生基材層を固定するために使用される。
本発明に係る植生基材層の固定治具は、点で植生基材層（２）を法面（Ａ）に固定する治具、線で植生基材層（２）を法面（Ａ）に固定する治具、面で植生基材層（２）を法面（Ａ）に固定する治具と３種類に大別することができ、それぞれについて構成を説明する。
【００１４】
本発明に係る植生基材層（２）の法面（Ａ）への固定治具の第１実施例（点で固定する）の構成を説明する。
図１は、本発明に係る植生基材層の固定治具の一実施例を示す斜視図である。
図２は、図１で示される植生基材層の固定治具の平面図である。
この発明で使用する無機系植生基材とは、硫酸アルミニウム、硫酸カルシウムを含む無機塩、シリカ粉末、肥料、種子、安定剤等、５０ｌ／ｍ３で１〜３％の水溶液としたものが好適に使用できる。
植生基材層の固定治具（１）は、無機系植生基材を法面（２）に吹き付ける際の植生基材層（２）を固定する治具であって、杭部（３）と、押圧体（４）とから構成されている。
杭部（３）は、植生基材層（２）から法面（Ａ）に渡り打ち込まれる棒状の形状を有する部材である。
この棒状の杭部（３）の植生基材層（２）に打ち込まれる下方部（３１）は、植生基材層（２）及び法面（Ａ）に打ち込まれやすく設けられているため、先細りした形状を有している（図１参照）。
この杭部（３）の直径の太さは、特に限定されないが、約１０〜２０ｍｍ、好ましくは、約１２〜１６ｍｍに設けられる。
この杭部（３）の直径の太さが、１０ｍｍより小さくなると後述する押圧体（４）を設けることができず、２０ｍｍより大きくなると、杭部（３）自体の重さが大きくなり輸送に不便をきたすからである。
この杭部（３）の長さは、特に限定されないが、植生基材層（２）から法面（Ａ）に渡たり打ち込まれ、植生基材層（２）を固定する治具の基礎となるので、約３００ｍｍ以上の長さを有することが好ましい。
【００１５】
杭部（３）の上方部（３２）は、後述する押圧体（４）が設けられる。
この押圧体（４）が設けられる上方部（３２）は、図３で示す如く、略Ｌ字状になるように屈設されていても構わない。
上方部（３２）が略Ｌ字状に屈設されていることで、杭部（３）が抜ける方向（図３（ｂ）で示す黒矢印）と押圧体（４）が抜ける方向とが略９０度方向異なることとなり、この押圧体（４）のみが抜けてしまうことを防止することができるとともに、植生基材層の固定治具（１）が強力に植生基材層（２）を固定することができるからである。
【００１６】
この杭部（３）は、植生基材層（２）に打ち込まれた際の長さが判る目盛り（３ａ）が設けられていることが好ましい。
この杭部（３）に目盛り（３ａ）が設けられていることによって、杭部（３）を植生基材層（２）に打ち込む際に、どの程度の深さ打ち込んだのかが判るからである。
【００１７】
押圧体（４）は、杭部（３）の上方部（３２）に着脱自在に設けられる部材である。
この押圧体（４）の形状は、特に限定されないが、杭部（３）に取り付けた際の平面視に於いて、杭部（３）が中心部となり、この杭部（３）を中心部として放射状又は対称に（杭部（３）に対して直角方向に）広がるように枝部（４１）が設けられることが好ましい（図２又は図３参照）。
押圧体（４）の形状が、取付けられる杭部（３）を中心部として枝部（４１）が放射状又は対称に広がるように設けられることによって、効率良く植生基材層（２）を押圧することができるからである。
この枝部（４１）の中心部から広がる長さは、特に限定されないが、杭部（３）の長軸方向の長さに対して１割程度の長さを有する必要がある。
この枝部（４１）の長さが杭部（３）の長軸方向の長さの１割より小さいと、植生基材層（２）を十分に押圧することが難しいからである。
図１及び図２で示される押圧体（４）は、枝部（４１）が略十字の形状を有し中心に杭部（３）が嵌入されるように穴部（４２）を有している。
略十字の形状である押圧体（４）の枝部（４１）の先端には、それぞれに杭部（３）と平行になるように小棒体（４３）が設けられている。
この小棒体（４３）を有することで、植生基材層の固定治具（１）を植生基材層（２）に打ち付けた際に、小棒体（４３）も植生基材層（２）に打ち込まれるようになり、更にしっかりとした固定を施すことができる。
この小棒体（４３）の形状は、特に限定されず、補助的に植生基材層（２）に打ち込まれる部材であるので、使用者が適宜選択すれば構わない。
図３で示される押圧体（４）は、枝部（４１）が波型の形状を有し、波型の形状の中心部に当る位置に杭部（３）と嵌入する穴部（４２）が設けられている。
この波型の形状を有する押圧体（４）の枝部（４１）の長さは、特に限定されず、杭部（３）の長軸方向の４〜８割の長さ、より好ましくは、６割の長さであることが好ましい。
尚、この押圧体（４）の形状は、円板状、蜘蛛の巣状等の形状が考えられるが、特に限定されず、中心部から放射状又は対称に広がる形状や、中心部からの広がる十分な長さを有していれば構わない。
【００１８】
次に、本発明に係る植生基材層（２）の法面（Ａ）への固定治具の第２実施例（線で固定する）の構成を説明する。
図４及び図５は、本発明に係る線で植生基材層を固定する植生基材層の固定治具の杭部の一実施例を示す斜視図である。
図６は、本発明に係る線で植生基材層を固定する植生基材層の固定治具を示す斜視図である。
本発明に係る線で植生基材層（２）を法面（Ａ）に固定する植生基材層の固定治具（１０）は、２以上の上記した棒状の杭部（３）と押圧体（４）とから構成される植生基材層の固定治具（１）、及び／又は杭部（３）の端部が略Ｌ字状に屈折された植生基材層の固定治具（１）を連結具（５）を介して連結された治具である。
【００１９】
連結具（５）の有する形状は、特に限定されず、紐状、鎖状、板状、網状等で構わないが、この連結具（５）の素材は、植生基材層（２）を固定するので金属等のような十分に強度を有する素材で構成されることが好ましい。
連結具（５）が、杭部（３）同士の間に設けられる長さは、特に限定されず、この植生基材層の固定治具（１０）を使用する植生基材層（２）に於いて適宜長さを設ければ構わない。
【００２０】
連結具（５）を杭部（３）に連結する方法は、特に限定されず、図４又は図５に示されるように、連結具（５）を連結することのできる連結部（６）を杭部（３）に嵌入して取付ける方法でもよいし、植生基材層の固定治具（１）に取付ける方法でも構わない。
連結部（６）は、上記した押圧体（４）と同様に中心部から放射状又は対称に広がる形状を有していることが好ましい。
連結部（６）が中心部から放射状又は対称に広がる形状を有していることで、しっかりと植生基材層（２）を押圧できるとともに、連結具（５）を保持することもできるからである。
連結部（６）は、上述した押圧体（４）を装着する場所と同じく杭部（３）の上方部（３２）（図５では、略Ｌ字状に屈設された上方部（３２））に設けられる。
連結部（６）は、杭部（３）に着脱自在に嵌入する孔部（６１）が設けられているとともに、連結具（５）を係止することのできる装着部（６２）が設けられている。
装着部（６２）は連結具（５）を係止することができればよく、装着部（６２）形状は特に限定されない。
【００２１】
次いで、本発明に係る植生基材層（２）の法面（Ａ）への固定治具の第３実施例（面で固定する）の構成を説明する。
図７は、本発明に係る面で法面を固定する植生基材層の固定治具を示す正面図である。
本発明に係る面で植生基材層（２）を法面（Ａ）に固定する植生基材層の固定治具（２０）は、面体（２１）と、複数の保持部材（２２）と、棒体（２３）から構成される。
面体（２１）は、ラス金網のような網目状の形状を有する部材であることが好ましい。
面体（２１）が網目状の模様を有することによって、植物が育成することに邪魔にならないからである。
この面体（２１）の素材は、特に限定されないが、耐久性が高く、軽量なものが好ましい。
面体（２１）の面積の大きさは、被覆する植生基材層（２）の大きさに適宜調整される。
面体（２１）は、上方で折り返された折り返し部分（２４）を有している。
この折り返し部分（２４）を有することによって、この植生基材層の固定治具（２０）をしっかりと法面（Ａ）に固定することが可能となる。
この折り返し部分（２４）の垂直軸方向の長さ（ｄ）は、特に限定されないが、３０ｃｍ以上の長さ、より好ましくは３０〜５０ｃｍの長さを有することが好ましい。
この折り返し部分（２４）の長さが、３０ｃｍの長さよりも短いと金網の形状が崩れてしまう可能性があるからであり、５０ｃｍを超えても金網の形状を保持する効果は変わらないからである。
【００２２】
棒体（２３）は、面体（２１）を支えるように、折り返し部分（２４）の上端部（２５）に水平方向に沿って配置される。
この棒体（２３）を配置することによって、この面体（２１）をしっかりと保持することが可能となるとともに、この面体（２１）の形状をしっかりと保持することができる。
【００２３】
保持部材（２２）は、面体（２１）を植生基材層（２）に固定する棒状の部材である。
この保持部材（２２）は、図７で示す如く、面体（２１）及び棒体（２３）を保持するために、面体（２１）を押圧して、又は面体（２１）を保持部材（２２）に引掛けるようにして植生基材層（２）を固定する。
この保持部材（２２）は、主アンカーピン等の主に面体（２１）を全体的に押圧する第１押圧部材（２６）と、補助アンカーピン等の細かい部分を押圧する補助的な第２押圧部材（２７）の２種類から構成されることが好ましい。
２種類の押圧部材で保持部材（２２）が構成されることで、第１押圧部材（２６）は面体（２１）の全体を押圧し、第２押圧部材（２７）は法面（Ａ）の凹凸に沿って補助的に面体（２１）を押圧することで面体（２１）をしっかりと法面（Ａ）に固定することができるからである。
第１押圧部材（２６）及び第２押圧部材（２７）の面体（２１）を固定する設置場所は、特に限定されず、適宜調整すればよいが、第１押圧部材（２６）は面体（２）の外周縁に沿って適度な間隔で配置され、第２押圧部材（２７）は、面体（２１）が法面（Ａ）の凹凸によって植生基材層（２）から外れそうな箇所へ補助的に配置すればよい。
第１押圧部材（２６）の直径や長軸方向の長さは、特に限定されないが、直径１５〜２０ｍｍ、好ましくは１６〜１９ｍｍで、長さは約３５０〜５５０ｍｍ、好ましくは、４００〜５００ｍｍである。
第２押圧部材（２７）の直径や長軸方向の長さは、特に限定されないが、直径７〜１５ｍｍ、好ましくは９〜１３ｍｍで、長さは１５０〜４００ｍｍ、好ましくは、２００〜３５０ｍｍである。
尚、この保持部材（２２）は、上記した植生基材層の固定治具（１）を使用しても構わない。
以上が本発明に係る植生基材層の固定治具（１及び１０及び２０）の３種類の構成の説明である。
【００２４】
本発明に係る植生基材層の固定治具（１及び１０及び２０）の利用方法を図面を参照しつつ説明する。
先ず、点で植生基材層（２）を法面（Ａ）に固定する植生基材層の固定治具（１）について説明する。
無機系植生基材を法面（Ａ）に吹き付ける際の植生基材層（２）に於いて、この植生基材層の固定治具（１）を、図８又は図９に示すように適宜間隔毎に植生基材層（２）に打ち込む。
このように適宜間隔毎に植生基材層（２）に打ち込むだけで、植生基材層（２）を法面（Ａ）に固定することができる。
この植生基材層の固定治具（１）を打ち込む適宜間隔は、通常のアンカーピン等で杭を打ち込む間隔よりも十分長い間隔で植生基材層（２）を固定でき、通常のアンカーピンよりもはるかに少ない本数で植生基材層（２）を固定することができるので、経済的に安価となる。
この植生基材層の固定治具（１）は、植生基材層（２）を点で固定するので、植生基材層（２）が法面（Ａ）から流出しそうな箇所を決定して利用すればよい。
【００２５】
線で植生基材層（２）を法面（Ａ）に固定する植生基材層の固定治具（１０）について説明する。
無機系植生基材を法面（Ａ）に吹き付けされた植生基材層（２）に於いて、この植生基材層の固定治具（１０）は、図１０で示すように連結具（５）を利用した線で固定する植生基材層の固定治具（１０）を植生基材層（２）に打ち込む。
このように植生基材層の固定治具（１０）は、連結具（５）を利用して植生基材層（２）を固定するので、略直線状に植生基材層（２）を固定することができる。
植生基材層の固定治具（１０）を利用することによって、略直線状に植生基材層（２）を法面（Ａ）に固定することができるので、異なる勾配を有する植生基材層（２）であっても法面（Ａ）に固定することができる。
【００２６】
面で植生基材層（２）を法面（Ａ）に固定する植生基材層の固定治具（２０）について説明する。
無機系植生基材を法面（Ａ）に吹き付けされる前の法面（Ａ）に於いて、岩（３０）等が存在するために、十分に吹付けできなかったり、植生基材層（２）が流出する危険性がある場所では、図１１及び図１２で示すように、植生基材層の固定治具（２０）が岩（３０）を覆うように法面（Ａ）に覆設される。
植生基材層の固定治具（２０）が岩（３０）を覆うように法面（Ａ）に載設されることで、植生基材層（２）が不規則な急勾配や、岩（３０）等で構成されていてもこの植生基材層の固定治具（２０）を利用することで、しっかりと植生基材層（２）を法面（Ａ）に固定することができるようになる。
また、この植生基材層の固定治具（２０）は、第１押圧部材（２６）及び第２押圧部材（２７）によって、植生基材層（２）を押圧するので、岩（３０）等の形状に合わせて第２押圧部材（２７）を利用することができるので、どのような複雑な形状を有した岩（３０）等でも、しっかりとこの面体（２１）が覆うことができる。
以上が本発明に係る植生基材層の固定治具（１及び１０及び２０）の利用方法である。
【００２７】
【発明の効果】
請求項１記載の発明は、無機系植生基材を法面に吹き付ける際の植生基材層を法面に固定する治具であって、植生基材層から法面に渡り打ち込まれる棒状の杭部と、該杭部の上方部に着脱自在に設けられる該植生基材層の表面を該法面方向へ押圧する押圧体から構成される植生基材を法面に吹き付ける際の植生基材層の固定治具であるから、法面が急勾配であっても、更には、凹凸を含んだ均一でない面で形成されていても、植生基材層の流出を防止ししっかりと法面に固定を施すとともに、安価に製造でき、しかも杭部と押圧体とが着脱自在に設けられているので、かさ張らず場所を無駄にしないので輸送に於いても効率性を損なわない植生基材を法面に吹き付ける際の植生基材層の固定治具を提供することができる。
【００２８】
請求項２記載の発明は、前記押圧体が着脱自在に設けられる前記杭部の端部が、略Ｌ字状に屈設されていることを特徴とする請求項１記載の無機系植生基材を法面に吹き付ける際の植生基材層の固定治具であるから、杭部が略Ｌ字状の形状を有することで押圧体が容易に抜けることがない植生基材を法面に吹き付ける際の植生基材層の固定治具を提供することができる。
【００２９】
請求項３記載の発明は、前記押圧体の形状が、中心部から放射状又は中心部から対称に広がる形状を有していることを特徴とする請求項１又は２に記載の無機系植生基材を法面に吹き付ける際の植生基材層の固定治具であるから、押圧体が法面を効率よく押圧することができる植生基材を法面に吹き付ける際の植生基材層の固定治具を提供することができる。
【００３０】
請求項４記載の発明は、２以上の請求項１及び／又は請求項２に記載の無機系植生基材層の固定治具が連結具を介して連結されていることを特徴とする無機系植生基材を法面に吹き付ける際の植生基材層の固定治具であるから、法面を線状に固定することができるようになるので、長い距離で法面を固定し保持する植生基材を法面に吹き付ける際の植生基材層の固定治具を提供することができる。
【００３１】
請求項５記載の発明は、前記杭部は、植生基材層に打ち込まれた際の長さが判る目盛りが設けられていることを特徴とする請求項１乃至４いずれかに記載の無機系植生基材を法面に吹き付ける際の植生基材層の固定治具であるから、杭部に目盛りを有することによって、どの程度掘り下げたかが、目視で確認することができる植生基材を法面に吹き付ける際の植生基材層の固定治具を提供することができる。
【００３２】
請求項６記載の発明は、無機系植生基材を法面に吹き付ける際の植生基材層を法面に固定する治具であって、上方で折り返し部分を有する法面を覆う面体と、該面体を法面に固定する複数の保持部材と、前記折り返し部分の上端部に配置される棒体とから構成されることを特徴とする無機系植生基材を法面に吹き付ける際の植生基材層の固定治具であるから、法面が岩等を含んでいてもしっかりとした法面の固定を行うことのできる植生基材を法面に吹き付ける際の植生基材層の固定治具を提供することができる。
【００３３】
請求項７記載の発明は、前記保持部材は、前記面体の外周縁に沿って配置され該面体を保持する第１押圧部材と、法面の凹凸の形状に合わせて適宜調整し配置され補助的に前記面体を保持する第２押圧部材とからなることを特徴とする請求項６記載の無機系植生基材を法面に吹き付ける際の植生基材層の固定治具であるから、保持体が第１押圧部材及び第２押圧部材と２種類に分けられることによって、面体をしっかりと保持するとともに、法面の形状に合わせた植生基材を法面に吹き付ける際の植生基材層の固定治具を提供することができる。
【図面の簡単な説明】
【図１】本発明に係る植生基材層の固定治具の一実施例を示す斜視図である。
【図２】図１で示される植生基材層の固定治具の平面図である。
【図３】本発明に係る植生基材層の固定治具の他の一実施例であり、（ａ）はその斜視図、（ｂ）は（ａ）図の部分拡大図である。
【図４】本発明に係る線で植生基材層を法面に固定する植生基材層の固定治具の杭部の実施例を示す斜視図である。
【図５】本発明に係る線で植生基材層を法面に固定する植生基材層の固定治具の杭部の他の実施例を示す斜視図である。
【図６】本発明に係る線で植生基材層を法面に固定する植生基材層の固定治具を示す正面図である。
【図７】本発明に係る面で植生基材層を法面に固定する植生基材層の固定治具を示す正面図である。
【図８】本発明に係る点で植生基材層を法面に固定する植生基材層の固定治具の利用の様子を示した概略断面図である。
【図９】本発明に係る点で植生基材層を法面に固定する他の植生基材層の固定治具の利用の様子を示した概略断面図であり、（ａ）は正面図であり、（ｂ）は側面図である。
【図１０】本発明に係る線で植生基材層を法面に固定する植生基材層の固定治具の利用の様子を示した概略断面図である。
【図１１】本発明に係る面で植生基材層を法面に固定する植生基材層の固定治具の利用の様子を示した概略断面図である。
【図１２】本発明に係る面で植生基材層を法面に固定する植生基材層の固定治具の利用の様子を示した正面図である。
【符号の説明】
１・・・・・・点で植生基材層を法面に固定する植生基材層の固定治具
１０・・・・・線で植生基材層を法面に固定する植生基材層の固定治具
２・・・・・・植生基材層
２０・・・・・面で植生基材層を法面に固定する植生基材層の固定治具
２１・・・・・面体
２２・・・・・保持部材
２３・・・・・棒体
２４・・・・・折り返し部分
２６・・・・・第１押圧部材
２７・・・・・第２押圧部材
３・・・・・・杭部
３ａ・・・・・目盛り
３２・・・・・上方部
４・・・・・・押圧体
４１・・・・・穴部
５・・・・・・連結具
Ａ・・・・・・法面
【図１】
2004324122.tif 000003
【図２】
2004324122.tif 000004
【図３】
2004324122.tif 000005
【図４】
2004324122.tif 000006
【図５】
2004324122.tif 000007
【図６】
2004324122.tif 000008
【図７】
2004324122.tif 000009
【図８】
2004324122.tif 000010
【図９】
2004324122.tif 000011
【図１０】
2004324122.tif 000012
【図１１】
2004324122.tif 000013
【図１２】
2004324122.tif 000014